【手続補正書】
【提出日】平成22年4月30日(2010.4.30)
【手続補正１】
【補正対象書類名】特許請求の範囲
【補正対象項目名】全文
【補正方法】変更
【補正の内容】
【特許請求の範囲】
【請求項１】
導管取り付け部品であって、以下：
第１取り付け構成部品と、一緒にねじ結合し得る第２取り付け構成部品と、少なくとも１つの導管握持装置とを備え、該導管握持装置が、一緒に組み立てた場合に該第１取り付け構成部品と該第２取り付け構成部品によって形成される内部空間に配置され、該第１取り付け構成部品、該第２取り付け構成部品および該少なくとも１つの導管握持装置が、長手軸で整列可能であり、
該第１取り付け構成部品が、第１の先細りした一体化表面を有し、そして該第２取り付け構成部品が、第２の先細りした一体化表面を有し、
該導管取り付け部品が導管上に組み立てられ、プルアップされるとき、該第１の先細りした表面および該第２の先細りした表面が、適切なプルアップを示すように、該第２の取り付け構成部品に対する該第１取り付け構成部品の所定の軸方向変位で互いに接触する、導管取り付け部品。
【請求項２】
前記第１の先細りした表面および前記第２の先細りした表面が、それぞれ、軸方向長さを有し、前記長手軸に対して半径方向に先細りである、請求項１に記載の導管取り付け部品。
【請求項３】
前記第１の先細りした表面および前記第２の先細りした表面が、長手方向断面から見た場合、円錐形である、請求項２に記載の導管取り付け部品。
【請求項４】
前記第１の先細りした表面が、前記長手軸に対して、角度ρで延び、前記第２の先細りした表面が、角度θで延びる、請求項２に記載の導管取り付け部品。
【請求項５】
ρ＝θである、請求項４に記載の導管取り付け部品。
【請求項６】
ρおよびθが約４５°である、請求項５に記載の導管取り付け部品。
【請求項７】
ρ≠θである、請求項４に記載の導管取り付け部品。
【請求項８】
前記第１の先細りした表面および前記第２の先細りした表面が、前記相対的な軸方向の変位の所定の範囲内で互いに直接接触し、該直接接触によって、さらなる相対的な軸方向の変位を生じるのに必要なトルクの明確な増加を生じる、請求項１に記載の導管取り付け部品。
【請求項９】
前記第１の先細りした表面および前記第２の先細りした表面によって、前記導管取り付け部品の作り直しのためのさらなる相対的な軸方向の変位が可能である、請求項１に記載の導管取り付け部品。
【請求項１０】
前記第１の先細りした表面および前記第２の先細りした表面が、プルアップの間、互いに接触し、前記少なくとも１つの導管握持装置が、該導管を握持し、密封する、請求項１に記載の導管取り付け部品。
【請求項１１】
導管取り付け部品であって、以下：
第１取り付け構成部品と、一緒にねじ結合し得る第２取り付け構成部品と、少なくとも１つの導管握持装置とを備え、該導管握持装置が、一緒に組み立てた場合に該第１取り付け構成部品と該第２取り付け構成部品によって形成される内部空間に配置され、該第１取り付け構成部品、該第２取り付け構成部品および該少なくとも１つの導管握持装置が、長手軸で整列可能であり、
該第１取り付け構成部品が、第１の表面を有し、そして該第２取り付け構成部品が、第２の表面を有し、該第１の表面および該第２の表面が金属を含み、
該導管取り付け部品が導管上に組み立てられ、プルアップされるとき、該第１の表面および該第２の表面が、適切なプルアップを示すように、該第２の取り付け構成部品に対する該第１取り付け構成部品の相対的な軸方向変位で互いに接触し、該導管取り付け部品が、前のプルアップの完了後に作り直され得る、導管取り付け部品。
【請求項１２】
前記第１の表面および前記第２の表面が、前記長手軸に対して軸方向長さを有する、請求項１１に記載の導管取り付け部品。
【請求項１３】
前記第１の表面および前記第２の表面の一方または両方が、前記長手軸に対して半径方向に先細りしている、請求項１１に記載の導管取り付け部品。
【請求項１４】
前記第１の表面および前記第２の表面が、前記導管取り付け部品の作り直しの間、互いに接触し、前記第１取り付け構成部品および前記第２取り付け構成部品のさらなる相対的な軸方向の変位を可能にする、請求項１１に記載の導管取り付け部品。
【請求項１５】
前記第１の先細りした表面および前記第２の先細りした表面が、前記組み立てられた第１取り付け構成部品および第２取り付け構成部品の内部空間内である、請求項１に記載の導管取り付け部品。
【請求項１６】
前記第１の先細りした面および前記第２の先細りした表面が、前記組み立てられた第１取り付け構成部品および第２取り付け構成部品の外部面である、請求項１に記載の導管取り付け部品。
【請求項１７】
導管取り付け構成部品であって、以下：
中心長手軸を有する概して環状のねじ切りされた本体であって、該本体が、開口部、カウンタボア、第１の先細りした表面および第２の先細りした表面を備え、該開口部がねじ切りされた合致取り付け構成部品を受容するように構成された内部空間を形成し、該カウンタボアが肩部を形成し、該カウンタボアが、該肩部に突き当たるよう底まで該導管端部を受容するような大きさであり、該第１の先細りした表面が、切頭円錐型面を提供し、該第２の先細りした表面が、該内部空間内で半径方向であり、該第１の先細りした表面から半径方向外側で、軸方向に離間している、本体
を備える、導管取り付け構成部品。
【請求項１８】
前記取り付け構成部品が合致取り付け構成部品に結合される場合に、前記第２の先細りした表面が、トルクを増加させるためのカミング面を提供する、請求項１７に記載の導管取り付け構成部品。
【請求項１９】
前記第１の先細りした表面が、フェルールカミング面を提供し、前記長手軸に対して角度σで延び、σが約１０°〜約４５°の範囲内である、請求項１８に記載の導管取り付け構成部品。
【請求項２０】
前記第２の先細りした表面が、前記長手軸に対して角度ρで延び、ρ＜９０°である、請求項１７に記載の導管取り付け構成部品。
【請求項２１】
導管取り付け部品であって、以下：
第１取り付け構成部品と、一緒にねじ結合し得る第２取り付け構成部品と、少なくとも１つの導管握持装置とを備え、該導管握持装置が、一緒に組み立てた場合に該第１取り付け構成部品と該第２取り付け構成部品によって形成される内部空間に配置され、該第１取り付け構成部品、該第２取り付け構成部品および該少なくとも１つの導管握持装置が、長手軸で整列可能であり、
該第１取り付け構成部品が、該長手軸に対して軸方向長さを有する第１の表面を有し、そして該第２取り付け構成部品が、第２の表面を有し、
該導管取り付け部品が導管上に組み立てられ、プルアップされるとき、該第１の表面および該第２の表面が、適切なプルアップを示すように、該第２の取り付け構成部品に対する該第１取り付け構成部品の相対的な軸方向変位で互いに接触する、導管取り付け部品。
【請求項２２】
前記第１の表面および前記第２の表面が、前記相対的な軸方向の変位の所定の範囲内で互いに直接接触し、該直接接触によって、さらなる相対的な軸方向の変位を生じるのに必要なトルクの明確な増加を生じる、請求項２１に記載の導管取り付け部品。
【請求項２３】
前記第１の表面および前記第２の表面が、半径方向に先細りしている、請求項２１に記載の導管取り付け部品。
【請求項２４】
前記第１の表面および前記第２の表面が、切頭円錐型である、請求項２１に記載の導管取り付け部品。
【請求項２５】
前記第１の表面および前記第２の表面が、前記組み立てられた第１取り付け構成部品および第２取り付け構成部品の内部空間内である、請求項２１に記載の導管取り付け部品。
【請求項２６】
前記第１の表面および前記第２の表面が、前記組み立てられた第１取り付け構成部品および第２取り付け構成部品の外部面である、請求項２１に記載の導管取り付け部品。
【請求項２７】
前記第１取り付け構成部品が、雌ねじ切りした本体を備え、前記第２取り付け構成部品が、雄ねじ切りしたナットを備える、請求項１に記載の導管取り付け部品。
【請求項２８】
導管取り付け部品であって、以下：
第１取り付け構成部品と、一緒にねじ結合し得る第２取り付け構成部品と、少なくとも１つのフェルールとを備え、該フェルールが、一緒に組み立てた場合に該第１取り付け構成部品と該第２取り付け構成部品によって形成される内部空間に配置され、該第１取り付け構成部品、該第２取り付け構成部品および該少なくとも１つのフェルールが、別の部品であり、長手軸で整列可能であり、
該第１取り付け構成部品が、第１の先細りした一体化表面を有し、そして該第２取り付け構成部品が、第２の先細りした一体化表面を有し、
該導管取り付け部品が導管上に組み立てられ、プルアップされるとき、該第１の先細りした表面および該第２の先細りした表面が、該第２の取り付け構成部品に対する該第１取り付け構成部品の所定の軸方向変位で互いに接触する、導管取り付け部品。
【請求項２９】
導管取り付け部品であって、以下：
雌ねじ切りした本体であって、該雌ねじ切りした本体が、中心軸に沿って導管を受容するための内部ボアを有し、該内部ボアが第１カミング面および第２カミング面を有する、雌ねじ切りした本体；
概して環状の第１フェルールであって、該概して環状の第１フェルールが、第１端部および第２端部を有し、該第１端部が流体圧力に対抗する一次密封を形成するように該第１カミング面を係合するための先細りした外部面を有する、概して環状の第１フェルール；
概して環状の第２フェルールであって、該概して環状の第２フェルールが、該第１フェルールの第２の端部を係合する第１端部および被駆動面を規定する第２の端部を有し、該第１端部が、該導管内に噛合うための鋭い縁を含む、概して環状の第２フェルール；および
該雌ねじ切りした本体とねじ結合し得る雄ねじ切りしたナットであって、該ナットは、該導管を受容するための中心通しボアと、軸方向に延びたカートリッジにより規定されたソケットを有する前端部とを含み；該ソケットは、該第１フェルールの少なくとも一部を受容するように適合された第１部分と、該第２フェルールを受容するように適合された第２部分とを有し；該第２部分は、該導管から半径方向に離間している位置で該第２フェルールの被駆動面と係合するように適合された駆動面を規定する、雄ねじ切りしたナット、
を備え、
該カートリッジは、該第２カム面と係合するための先細りした表面を有し、該先細りした表面と該第２カム面との間の係合によって、該取り付け部品のプルアップを継続するために必要なトルクの量が急激に増加し、該先細りした表面と該第２カム面との間の係合が、該先細りした表面と該第２カム面との間の直接的な接触を含む、
導管取り付け部品。
【請求項３０】
導管取り付け部品であって、以下：
雌ねじ切りした本体であって、該雌ねじ切りした本体が、中心軸に沿って導管を受容するための内部ボアを有し、該内部ボアが第１カミング面および第２カミング面を有する、雌ねじ切りした本体；
概して環状の第１フェルールであって、該概して環状の第１フェルールが、第１端部および第２端部を有し、該第１端部が流体圧力に対抗する密封を形成するように該第１カミング面を係合するための先細りした外部面を有する、概して環状の第１フェルール；
概して環状の第２フェルールであって、該概して環状の第２フェルールが、該第１フェルールの第２の端部を係合する第１端部および被駆動面を規定する第２の端部を有する、概して環状の第２フェルール；および
該雌ねじ切りした本体とねじ結合し得る雄ねじ切りしたナットであって、該ナットは、該導管を受容するための中心通しボアと、該第２フェルールの被駆動面と係合するように適合された駆動面を規定するソケットを有する、雄ねじ切りしたナット
を備え、
該雄ねじ切りしたナットは、該第２カム面と直接接触するための先細りした表面を有し、該先細りした表面と該第２カム面との間の直接接触および生じるトルクの増加によって、該取り付け部品の適切なプルアップに対応する該雌ねじ切りした本体に対する該ナットの変位を生じる、
導管取り付け部品。
【請求項３１】
前記雄ねじ切りしたナットの先細りした表面が、前記中心軸から約４５°の角度である、請求項２９に記載の導管取り付け部品。
【請求項３２】
前記雄ねじ切りしたナットの先細りした表面が、前記中心軸から約４５°の角度である、請求項３０に記載の導管取り付け部品。
【請求項３３】
前記カートリッジが前記第１のフェルールおよび前記第２のフェルールを半径方向に抑制する、請求項２９に記載の導管取り付け部品。
【請求項３４】
前記カートリッジが前記第１のフェルールおよび前記第２のフェルールを半径方向に抑制する、請求項３０に記載の導管取り付け部品。
【請求項３５】
前記雌ねじ切りした本体が、焼きなました材料を含む、請求項２９に記載の導管取り付け部品。
【請求項３６】
前記カートリッジの先細りした表面と前記第２のカミング面との係合が、流体圧力に対抗してバックアップ密封を形成する、請求項２９に記載の導管取り付け部品。
【手続補正２】
【補正対象書類名】明細書
【補正対象項目名】発明の名称
【補正方法】変更
【補正の内容】
【発明の名称】プルアップ表示を備える導管取り付け部品